(57)【特許請求の範囲】
【請求項１】
住宅の外に設置された防犯テレビカメラで撮像された被写体を家庭用テレビ受像機に映し出すための中継装置であって、前記防犯テレビカメラに接続された送信機から放射されるＶＨＦ電波を受信する無線受信回路と、前記無線受信回路で受信された前記ＶＨＦ電波をビデオ信号に変換するＶＨＦ／ビデオコンバータと、前記無線受信回路から出力されるＶＨＦ信号によって駆動されるＣＰＵメモリと、前記家庭用テレビ受像機を遠隔操作するためのリモート・コントローラから照射される種々の赤外線を受信するリモート・コントローラ用受信回路と、前記ＣＰＵメモリに接続され前記リモート・コントローラから照射される前記種々の赤外線のパルス信号がメーカ別に記憶されたメーカ別対応メモリと、前記リモート・コントローラ用受信回路が受信した前記赤外線に対応した前記メーカ別対応メモリからの前記赤外線のパルス信号を前記ＣＰＵメモリの命令によって前記家庭用テレビ受像機の赤外線センサに向けて照射する発信回路と、前記無線受信回路、前記ＶＨＦ／ビデオコンバータ、前記ＣＰＵメモリ、前記リモート・コントローラ用受信回路、前記メーカ別対応メモリおよび前記発信回路に電源を供給する電源部とを備え、前記電源部は家庭用コンセントにプラグインさせるプラグと、前記プラグからのＡＣ電源をＤＣ電源に変換するＡＣ／ＤＣコンバータとからなることを特徴とする防犯テレビカメラ・家庭用テレビ受像機の中継装置。
【請求項２】
前記プラグは前記無線受信回路、前記ＶＨＦ／ビデオコンバータ、前記ＣＰＵメモリ、前記リモート・コントローラ用受信回路、前記メーカ別対応メモリ、前記発信回路および前記ＡＣ／ＤＣコンバータを覆設する筐体に一体化されたことを特徴とする請求項１記載の防犯テレビカメラ・家庭用テレビ受像機の中継装置。
【発明の詳細な説明】
【０００１】
【発明の属する技術分野】
本発明は防犯テレビカメラ・家庭用テレビ受像機の中継装置に係り、特に配線を簡素化することができる中継装置に関する。
【０００２】
【従来の技術】
従来より、住宅等には人の無断侵入を未然に防止するために防犯テレビカメラシステムが設置されている。この防犯テレビカメラシステムは図４に示すように、例えば住宅の戸口近辺に設けられ人体を撮像するためのテレビカメラ５１と、室内に設けられテレビカメラ５１からの映像を映し出すテレビモニタ５２とを有している。このような構成において戸口近辺に人が来るとテレビカメラ５１によって撮像され、このテレビカメラ５１からの映像信号Ｓ２０がテレビモニタ５２に出力される。これにより、侵入者を確認することができるので、無断侵入を未然に防止することができる。
【０００３】
【発明が解決しようとする課題】
しかしながら、このような防犯テレビカメラシステム５０においては、室外に設置されたテレビカメラ５１と室内に設置されたテレビモニタ５２とを有線で接続しなければならず、しかも、装置専用のテレビモニタ５２を設置しなければならないので、取付工事に時間がかかり、また機器のコストアップの原因にもなっていた。
【０００４】
本発明は、このような従来の問題点を解決するためになされたもので、防犯テレビカメラからの映像および音声を無線によって家庭用テレビ受像機に再現することができ、而も製造メーカーの異なる家庭用テレビ受像機においても調整することなく使用することができる防犯テレビカメラ、家庭用テレビ受像機の中継装置を提供することを目的とする。
【０００５】
【課題を解決するための手段】
このような目的を達成する本発明の防犯テレビカメラ・家庭用テレビ受像機の中継装置は、住宅の外に設置された防犯テレビカメラで撮像された被写体を家庭用テレビ受像機に映し出すための中継装置であって、防犯テレビカメラに接続された送信機から放射されるＶＨＦ電波を受信する無線受信回路と、無線受信回路で受信されたＶＨＦ電波をビデオ信号に変換するＶＨＦ／ビデオコンバータと、無線受信回路から出力されるＶＨＦ信号によって駆動されるＣＰＵメモリと、家庭用テレビ受像機を遠隔操作するためのリモート・コントローラから照射される種々の赤外線を受信するリモート・コントローラ用受信回路と、ＣＰＵメモリに接続されリモート・コントローラから照射される種々の赤外線のパルス信号がメーカ別に記憶されたメーカ別対応メモリと、リモート・コントローラ用受信回路が受信した赤外線に対応したメーカ別対応メモリからの赤外線のパルス信号をＣＰＵメモリの命令によって家庭用テレビ受像機の赤外線センサに向けて照射する発信回路と、無線受信回路、ＶＨＦ／ビデオコンバータ、ＣＰＵメモリ、リモート・コントローラ用受信回路、メーカ別対応メモリおよび発信回路に電源を供給する電源部とを備え、電源部は家庭用コンセントにプラグインさせるプラグと、プラグからのＡＣ電源をＤＣ電源に変換するＡＣ／ＤＣコンバータとからなるものである。
【０００６】
また、本発明の防犯テレビカメラ・家庭用テレビ受像機の中継装置において、プラグは無線受信回路、ＶＨＦ／ビデオコンバータ、ＣＰＵメモリ、リモート・コントローラ用受信回路、メーカ別対応メモリ、発信回路およびＡＣ／ＤＣコンバータを覆設する筐体に一体化されたものである。
【０００７】
【発明の実施の形態】
以下、本発明の防犯テレビカメラ・家庭用テレビ受像機の中継装置が適用される防犯テレビカメラシステムの一実施例について、図面を参照して説明する。
防犯テレビカメラシステムは図１に示すように、室外に人体検出素子１、防犯テレビカメラ２およびマイクロホン１８を設け、室外または室内に送信機３が設けられている。人体検出素子１は防犯テレビカメラ２、マイクロホン１８および送信機３に接続されている。送信機３は家庭内コンセント４３にプラグインされる中継装置３０の受波器３１にＶＨＦ電波Ｅ１を放射するためのものである。
【０００８】
人体検出素子１には、人体の温度に基づき人体から放射される赤外線を検出する焦電型赤外線センサや、超音波を人に向けて発し、その人から反射された反射超音波を検出する超音波センサが使用される。また、防犯テレビカメラ２には、例えばＣＣＤカメラ（半導体カメラ）が使用され、マイクロホン１８には小さい物音でも集音することができるものが使用される。
【０００９】
送信機３は図３に示すように、人体検出素子１からの検出信号Ｓ１が入力される受信回路６と、受信回路６からの受信信号Ｓ２が入力されることによって駆動されるタイマ７と、タイマ７によって駆動される警報音スピーカ８と、防犯テレビカメラ２からの映像信号Ｓ３およびマイクロホン１８からの音声信号Ｓ１３が入力されるＶＨＦ発信回路９と、ＶＨＦ発信回路９からのＶＨＦ信号Ｓ４を搬送波にのせてＶＨＦ電波Ｅ１を放射する送波器１０とを備えている。なお、送信機３は交流電力を直流電力に変換するＡＣ／ＤＣコンバータ１１を介してＡＣ電源に接続されている。
【００１０】
受信回路６は人体検出素子１からの検出信号Ｓ１を予め定められた基準電圧と比較し、一致したときに受信信号Ｓ２を出力するコンパレータ（図示せず）を備えている。また、受信回路６は防犯テレビカメラ２およびマイクロホン１８に接続され、この防犯テレビカメラ２およびマイクロホン１８を駆動するためのＤＣ電源を供給する電源スイッチ（図示せず）を備えている。電源スイッチは受信回路６からの受信信号Ｓ２が入力されると、防犯テレビカメラ２およびマイクロホン１８に電源を供給する。
【００１１】
ＶＨＦ発信回路９は防犯テレビカメラ２から映像信号Ｓ３およびマイクロホン１８からの音声信号Ｓ１３が入力されると、その映像信号Ｓ３および音声信号Ｓ１３を所定周波数のＶＨＦ信号Ｓ４に重畳させるものである。
中継装置３０は図２に示すように、無線受信回路３２、ＶＨＦ／ビデオコンバータ３３、ＣＰＵメモリ３４、メーカー別対応メモリ３５、リモート・コントローラ（以下、「リモコン」という。）用受信回路３６、発信回路３７、ＡＣ／ＤＣコンバータ３８およびプラグ３９から構成されている。
【００１２】
無線受信回路３２は送信機３から放射されるＶＨＦ電波Ｅ１を受信する受波器３１を備え、この無線受信回路３２の出力側にはＶＨＦ／ビデオコンバータ３３とＣＰＵメモリ３４とが接続されている。ＶＨＦ／ビデオコンバータ３３はビデオ出力端子Ｔ３を介して家庭用テレビ受像機４のビデオ端子Ｔ２に接続されている。ＣＰＵメモリ３４にはリモコン用受信回路３６、メーカー別対応メモリ３５および発信回路３７がそれぞれ接続されている。
【００１３】
ＣＰＵメモリ３４は無線受信回路３２から出力されるＶＨＦ信号Ｓ５によって駆動される。リモコン用受信回路３６は、家庭用テレビ受像機４を遠隔操作するリモコン４０から照射される赤外線ＩＲ１を受信するためのものである。メーカー別対応メモリ３５は製造メーカー毎に異なるリモコンの赤外線のパルス信号がそれぞれ記憶されている。この製造メーカー毎に異なるリモコンの赤外線のパルス信号は、例えば電源オンのパルス信号、ビデオチャネル毎のパルス信号、子画面を映し出すためのパルス信号が記憶されている。
【００１４】
ＣＰＵメモリ３４は、リモコン用受信回路３６がリモコン４０から照射される赤外線ＩＲ１を受信すると、その赤外線ＩＲ１のパルス信号とメーカー別対応メモリ３５に記憶されている各製造メーカー毎の赤外線のパルス信号とを比較し、一致した赤外線のパルス信号があればその赤外線のパルス信号に応じた電気信号Ｓ６を発信回路３７に出力する機能を有している。発信回路３７はこの電気信号Ｓ６に基づき赤外線ＩＲ２を、家庭用テレビ受像機４の赤外線センサ４１に向けて照射することができる。
【００１５】
これにより、ＣＰＵメモリ３４は無線受信回路３２からＶＨＦ信号Ｓ５が入力されると、家庭用テレビ受像機４の電源をオンし、且つチャネルを所定のビデオチャネルに切替えることができる。また、ＣＰＵメモリ３４は家庭用テレビ受像機に子画面を映し出す機能がある場合には、その子画面を強制挿入させることができる。即ち、テレビの電源がオン状態のときにＶＨＦ信号Ｓ５が入力されると、子画面を映し出すことができる。
【００１６】
また、中継装置３０の筐体４２には電源部であるプラグ３９が一体化されて設けられている。これにより、家庭用テレビ受像機４が置かれている部屋において、邪魔にならずに家庭内コンセント４３にプラグインすることができる。このプラグ３９に電源部であるＡＣ／ＤＣコンバータ３８が接続されている。このＡＣ／ＤＣコンバータ３８から無線受信回路３２、ＶＨＦ／ビデオコンバータ３３、ＣＰＵメモリ３４、メーカー別対応メモリ３５、リモコン用受信回路３６および発信回路３７それぞれにＤＣ電源が供給される。
【００１７】
このように構成された中継装置３０が適用される防犯テレビカメラシステムの動作について、以下説明する。
人体検出素子１および防犯テレビカメラ２およびマイクロホン１８が設置された住宅の戸口に人が近づくと、人体検出素子１が人を感知して検出信号Ｓ１を送信機３の受信回路６に入力させる。受信回路６はこの検出信号Ｓ１に基づき受信信号Ｓ２をタイマ７に入力させる。タイマ７はこの受信信号Ｓ２によって駆動され、警報音スピーカ８を鳴動させる。なお、警報音スピーカ８の鳴動時間はタイマ７によって自由に設定することができる。また、受信回路６は受信信号Ｓ２によって、内蔵された電源スイッチをオン状態にしているので、防犯テレビカメラ２およびマイクロホン１８には電源が供給される。
【００１８】
この防犯テレビカメラ２およびマイクロホン１８に電源が供給されると、防犯テレビカメラ２から映像信号Ｓ３、マイクロホン１８から音声信号Ｓ１３がそれぞれＶＨＦ発信回路９に入力され、このＶＨＦ発信回路９で映像信号Ｓ３および音声信号Ｓ１３を所定周波数のＶＨＦ信号Ｓ４に重畳させ、このＶＨＦ信号Ｓ４を搬送波にのせて送波器１０からＶＨＦ電波Ｅ１を放射する。
【００１９】
このＶＨＦ電波Ｅ１を中継装置３０の受波器３１が受信し、このＶＨＦ電波Ｅ１を交流電力にして無線受信回路３２に出力する。無線受信回路３２はこの交流電力に基づきＶＨＦ信号Ｓ５をＣＰＵメモリ３４およびＶＨＦ／ビデオコンバータ３３に出力する。ＣＰＵメモリ３４は無線受信回路３２から出力されるＶＨＦ信号Ｓ５によって駆動され、予めメーカー別対応メモリ３５から選ばれた電源オン用の赤外線のパルス信号、およびビデオチャネル毎のパルス信号に応じた電気信号Ｓ６を順次、発信回路３７に出力する。発信回路３７はこの電気信号Ｓ６に基づき赤外線ＩＲ２を、家庭用テレビ受像機４の赤外線センサ４１に向けて照射する。
【００２０】
これにより、家庭用テレビ受像機４は電源がオンされ、且つ所定のビデオチャネルに切替わる。したがって、ＶＨＦ／ビデオコンバータ３３がＶＨＦ信号Ｓ５をビデオ信号Ｓ７に変換して家庭用テレビ受像機４に出力しているので、防犯テレビカメラ２で撮像した映像を家庭用テレビ受像機４に映し出すことができ、またマイクロホン１８で集音された音声を再現することができる。さらに、警報音スピーカ８が鳴動するので、この警報音によっても室内の人は家に人が近づいたことを確認することができる。
【００２１】
なお、リモコン４０からの赤外線ＩＲ１を常時、リモコン用受信回路３６で監視し、その赤外線のパルス信号に応じた電気信号Ｓ６をＣＰＵメモリ３４から出力させることができるので、使用する家庭用テレビ受像機が変わっても、中継装置３０は調整することなく使用することができる。
【００２２】
【発明の効果】
以上、説明したように、本発明の防犯テレビカメラ・家庭用テレビ受像機の中継装置によれば、防犯テレビカメラに接続された送信機から放射されるＶＨＦ電波を無線受信し、このＶＨＦ電波をビデオ信号に変換することができるので、家庭用テレビ受像機のビデオ端子にＶＨＦ／ビデオコンバータを接続すれば、防犯テレビカメラからの映像（音声）を無線によって家庭用テレビ受像機に再現することができる。これにより、機器の配線を簡素化することができるので、防犯テレビカメラシステムの取付工事が容易になる。また、リモコン用受信回路、メーカー別対応メモリおよびＣＰＵメモリによってリモコンから照射される赤外線のパルス信号を監視しているので、製造メーカーの異なる家庭用テレビ受像機においても調整することなく使用することができる。さらに、家庭用テレビ受像機に使用されているリモコンの赤外線のパルス信号に応じた赤外線を発信回路から照射させることができるので、家庭用テレビ受像機の電源をオンにすることができ、また電源がオン状態のときには子画面を強制挿入させることができる。
【図面の簡単な説明】
【図１】本発明の防犯テレビカメラ・家庭用テレビ受像機の中継装置が適用される防犯テレビカメラシステムの一実施例を示す説明図。
【図２】本発明の防犯テレビカメラ・家庭用テレビ受像機の中継装置の一実施例を示すブロック図。
【図３】図１の防犯テレビカメラシステムに使用される送信機のブロック図。
【図４】従来の防犯テレビカメラシステムを示す説明図。
【符号の説明】
２…防犯テレビカメラ
３…送信機
４…家庭用テレビ受像機
３０…中継装置
Ｅ１…ＶＨＦ電波
３２…無線受信回路
Ｅ１…ＶＨＦ電波
Ｓ７…ビデオ信号
３３…ＶＨＦ／ビデオコンバータ
Ｓ５…ＶＨＦ信号
３４…ＣＰＵメモリ
４０…リモート・コントローラ
ＩＲ１、ＩＲ２…赤外線
３６…リモート・コントローラ用受信回路
３５…メーカー別対応メモリ
３７…発信回路
３９…プラグ（電源部）
３８…ＡＣ／ＤＣコンバータ（電源部）
４２…筐体
【図１】
0003571815.tif 000002
【図２】
0003571815.tif 000003
【図３】
0003571815.tif 000004
【図４】
0003571815.tif 000005